(57)【特許請求の範囲】
【請求項１】
ハウスあるいは露地のいずれかで栽培され、開花状態になったハイドランジア・アナベルの株を遮光状態とすることを特徴とする花きハイドランジア・アナベルの栽培方法。
【請求項２】
下記の第１種ハウス（１）を用いて、下記の各工程から構成されていることを特徴とする花きハイドランジア・アナベルの栽培方法。
第１種ハウス（１）は、ハウス本体（１Ａ）と、遮光資材（１Ｂ）から構成され、ハウス本体（１Ａ）は、フレーム（１Ａ１）と、透明被覆フイルム（１Ａ２）から構成され、フレーム（１Ａ１）は、所定間隔をもって植設されたアーチパイプ（１Ａ１１、１Ａ１１．．）と、当該アーチパイプの側面に前後方向をもって配設された横パイプ（１Ａ１２、１Ａ１２）とを結束して構成され、透明被覆フイルム（１Ａ２）は、フレーム（１Ａ１）の上面に当該フレーム（１Ａ１）の左右側面下方に通気用の開口部（１Ａ２１）を残した状態で張設され、遮光資材（１Ｂ）は、透明被覆フイルム（１Ａ２）の上面を被覆できる面積に構成されている。
第１工程〜第１種ハウス（１）におけるハウス本体（１Ａ）内にハイドランジア・アナベルの苗木を定植する。
第２工程〜１〜２年間は養成期間、花蕾は摘除する。
第３工程〜２〜３年目から採花栽培し、適宜追肥する。
第４工程〜必要に応じ、かん水、ネット使用等の管理を行う。
第５工程〜開花に応じ、ハウス本体（１Ａ）における透明被覆フイルム（１Ａ２）の上面に、遮光資材（１Ｂ）を被覆状態にして遮光処理を開始する。
第６工程〜遮光開始後、２０〜３０日程でグリーン化が始まるので、以後順次採花する。
第７工程〜遮光資材は採花後、除去する。
【請求項３】
下記の第２種ハウス（２）を用いて、下記の各工程から構成されていることを特徴とする花きハイドランジア・アナベルの栽培方法。
第２種ハウス（２）は、外方ハウス本体（２Ａ）と内方ハウス本体（２Ｂ）から構成され、
外方ハウス本体（２Ａ）は、フレーム（２Ａ１）と、透明被覆フイルム（２Ａ２）から構成され、フレーム（２Ａ１）は、所定間隔をもって植設されたアーチパイプ（２Ａ１１、２Ａ１１．．）と、当該アーチパイプの側面に前後方向をもって配設された横パイプ（２Ａ１２、２Ａ１２）とを結束して構成され、透明被覆フイルム（２Ａ２）は、フレーム（２Ａ１）の上面に当該フレーム（２Ａ１）の左右側面下方に通気用の開口部（２Ａ２１）を残した状態で張設され、
内方ハウス本体（２Ｂ）は、小型フレーム（２Ｂ１）と、遮光資材（２Ｂ２）から構成され、小型フレーム（２Ｂ１）は、所定間隔をもって植設されたアーチパイプ（２Ｂ１１、２Ｂ１１．．）と、当該アーチパイプの側面に前後方向をもって配設された横パイプ（２Ｂ１２、２Ｂ１２）とを結束して構成され、遮光資材（２Ｂ２）は、小型フレーム（２Ｂ１）の上面に当該小型フレーム（２Ｂ１）の左右側面下方に通気用の開口部（２Ｂ２１）を残した状態で張設されている。
第１工程〜第２種ハウス（２）における外方ハウス本体（２Ａ）内にハイドランジア・アナベルの苗木を定植する。
第２工程〜１〜２年間は養成期間、花蕾は摘除する。
第３工程〜２〜３年目から採花栽培し、適宜追肥する。
第４工程〜必要に応じ、かん水、ネット使用等の管理を行う。
第５工程〜開花に応じ、内方ハウス本体（２Ｂ）により遮光処理を開始する。
第６工程〜遮光開始後、２０〜３０日程でグリーン化が始まるので、以後順次採花する。
第７工程〜遮光資材は採花後、除去する。
【請求項４】
下記の第３種ハウス（３）を用いて、下記の各工程から構成されていることを特徴とする花きハイドランジア・アナベルの栽培方法。
第３種ハウス（３）は、小型ハウス本体（３Ａ）と、遮光資材（３Ｂ）から構成され、小型ハウス本体（３Ａ）は、小型フレーム（３Ａ１）と、透明被覆フイルム（３Ａ２）から構成され、小型フレーム（３Ａ１）は、所定間隔をもって植設されたアーチパイプ（３Ａ１１、３Ａ１１．．）と、当該アーチパイプの側面に前後方向をもって配設された横パイプ（３Ａ１２、３Ａ１２）とを結束して構成され、透明被覆フイルム（３Ａ２）は、小型フレーム（３Ａ１）の上面に当該フレーム（３Ａ１）の左右側面下方に通気用の開口部（３Ａ２１）を残した状態で張設され、遮光資材（３Ｂ）は、小型ハウス本体（３Ａ）における透明被覆フィルム（３Ａ２）の上面に小型フレーム（３Ａ１）の左右側面下方に通気用の開口部（３Ｂ１）を残した状態で張設されている。
第１工程〜露地圃場にハイドランジア・アナベルの苗木を定植する。
第２工程〜１〜２年間は養成期間、花蕾は摘除する。
第３工程〜２〜３年目から採花栽培し、適宜追肥する。
第４工程〜必要に応じ、ネット使用等の管理を行う。
第５工程〜開花に応じ、第３種ハウス（３）により遮光処理を開始する。
第６工程〜遮光開始後、２０〜３０日程でグリーン化が始まるので、以後順次採花する。
第７工程〜遮光資材、透明被覆フィルムは採花後、除去する。
【発明の詳細な説明】
【０００１】
【発明の属する技術分野】
本発明は、新規な構成を有する花きハイドランジア・アナベルの栽培方法に関するものである。
すなわち、花きの中でも花木類の「グリーンアナベル」と云うべきハイドランジア・アナベルのグリーン化に資するものである。
【０００２】
【従来の技術】
従来のハイドランジア・アナベルの栽培法では、適期に白い花を採花する。
すなわち、従来のハイドランジア・アナベルの生育・栽培管理過程は下記の通りである。
１．親株より穂木採取、挿し木により温室、ハウス等で苗木を養成する。
２．挿し木で増殖した苗木を圃場に定植する。
この時点で、ハウス栽培か露地栽培かを決定する。
３．１〜２年間は養成期間、花蕾は摘除する。
４．２〜３年目から採花栽培し、適宜追肥する。
５．ハウス栽培ではかん水作業が必要である。
６．生育に応じネット等を使い、枝を管理する。
７．開花後順次採花、調整、出荷する。
【０００３】
【発明が解決しようとする課題】
従来の栽培法では、一応下記のような問題点を指摘することができる。
１．白い花だけなので消費者のニーズに十分応えられない。
２．採花時期が限定される。
【０００４】
本発明は、従来の技術の有するこのような問題点に鑑みなされたものであり、その目的とするところは、下記のことができるものを提供しようとするものである。
１．白い花の一部、特に日陰部がグリーン化していたので、遮光資材を活用することでグリーン化を試みた。
２．遮光資材の種類、遮光時期、遮光方法から構成されている。
遮光資材の種類は、遮光率５０％〜７０％前後であれば、材質は問わない。
遮光時期は、開花始め以降が適する。
遮光方法は、遮光資材をアーチ状の支持材に固定、屋根部分のみを被覆、開花部分が遮光される状態にする。
３．遮光方法でハウス栽培の場合、支持材をアーチパイプで兼用するなら、ハウス被覆フィルムの上から被覆、固定する。
４．ハウス栽培の遮光方法では、ハウス内に別のトンネル状の支持材を設置、それに遮光資材を屋根状に被覆、固定することも可能である。
５．遮光方法で露地栽培の場合、トンネル状の支持材を設置、それに遮光資材を屋根状に被覆、固定する。
その際、雨よけのため農業用の透明被覆フィルムを重ねると、品質保持に優れる。
６．遮光開始後、花がグリーン化したらいつでも採花可能である。
採花時期はグリーンの程度に応じて調整可能であり、グリーン化したものは採花適期幅が格段に広がる。
【０００５】
【課題を解決するための手段】
上記目的を達成するために、本発明は下記のようになるものである。
すなわち、請求項１記載の発明は、ハウスあるいは露地のいずれかで栽培され、開花状態になったハイドランジア・アナベルの株を遮光状態とすることを特徴とするものである。
【０００６】
請求項２記載の発明は、下記の第１種ハウス１を用いて、下記の各工程から構成されていることを特徴とするものである。
第１種ハウス１は、ハウス本体１Ａと、遮光資材１Ｂから構成され、
Ａ．ハウス本体１Ａは、フレーム１Ａ１と、透明被覆フイルム１Ａ２から構成され、フレーム１Ａ１は、所定間隔をもって植設されたアーチパイプ１Ａ１１、１Ａ１１．．と、当該アーチパイプの側面に前後方向をもって配設された横パイプ１Ａ１２、１Ａ１２とを結束して構成され、透明被覆フイルム１Ａ２は、フレーム１Ａ１の上面に当該フレーム１Ａ１の左右側面下方に通気用の開口部１Ａ２１を残した状態で張設されている。
Ｂ．遮光資材１Ｂは、透明被覆フイルム１Ａ２の上面を被覆できる面積に構成されている。
第１工程〜第１種ハウス１におけるハウス本体１Ａ内にハイドランジア・アナベルの苗木を定植する。
第２工程〜１〜２年間は養成期間、花蕾は摘除する。
第３工程〜２〜３年目から採花栽培し、適宜追肥する。
第４工程〜必要に応じ、かん水、ネット使用等の管理を行う。
第５工程〜開花に応じ、ハウス本体１Ａにおける透明被覆フイルム１Ａ２の上面に、遮光資材１Ｂを被覆状態にして遮光処理を開始する。
第６工程〜遮光開始後、２０〜３０日程でグリーン化が始まるので、以後順次採花する。
第７工程〜遮光資材は採花後、除去する。
【０００７】
請求項３記載の発明は、下記の第２種ハウス２を用いて、下記の各工程から構成されていることを特徴とするものである。
第２種ハウス２は、外方ハウス本体２Ａと内方ハウス本体２Ｂから構成され、
Ａ．外方ハウス本体２Ａは、フレーム２Ａ１と、透明被覆フイルム２Ａ２から構成され、フレーム２Ａ１は、所定間隔をもって植設されたアーチパイプ２Ａ１１、２Ａ１１．．と、当該アーチパイプの側面に前後方向をもって配設された横パイプ２Ａ１２、２Ａ１２とを結束して構成され、透明被覆フイルム２Ａ２は、フレーム２Ａ１の上面に当該フレーム２Ａ１の左右側面下方に通気用の開口部２Ａ２１を残した状態で張設されている。
Ｂ．内方ハウス本体２Ｂは、小型フレーム２Ｂ１と、遮光資材２Ｂ２から構成され、小型フレーム２Ｂ１は、所定間隔をもって植設されたアーチパイプ２Ｂ１１、２Ｂ１１．．と、当該アーチパイプの側面に前後方向をもって配設された横パイプ２Ｂ１２、２Ｂ１２とを結束して構成され、遮光資材２Ｂ２は、小型フレーム２Ｂ１の上面に当該小型フレーム２Ｂ１の左右側面下方に通気用の開口部２Ｂ２１を残した状態で張設されている。
第１工程〜第２種ハウス２における外方ハウス本体２Ａ内にハイドランジア・アナベルの苗木を定植する。
第２工程〜１〜２年間は養成期間、花蕾は摘除する。
第３工程〜２〜３年目から採花栽培し、適宜追肥する。
第４工程〜必要に応じ、かん水、ネット使用等の管理を行う。
第５工程〜開花に応じ、内方ハウス本体２Ｂにより遮光処理を開始する。
第６工程〜遮光開始後、２０〜３０日程でグリーン化が始まるので、以後順次採花する。
第７工程〜遮光資材は採花後、除去する。
【０００８】
請求項４記載の発明は、下記の第３種ハウス３を用いて、下記の各工程から構成されていることを特徴とするものである。
第３種ハウス３は、小型ハウス本体３Ａと、遮光資材３Ｂから構成され、
Ａ．小型ハウス本体３Ａは、小型フレーム３Ａ１と、透明被覆フイルム３Ａ２から構成され、小型フレーム３Ａ１は、所定間隔をもって植設されたアーチパイプ３Ａ１１、３Ａ１１．．と、当該アーチパイプの側面に前後方向をもって配設された横パイプ３Ａ１２、３Ａ１２とを結束して構成され、透明被覆フイルム３Ａ２は、小型フレーム３Ａ１の上面に当該フレーム３Ａ１の左右側面下方に通気用の開口部３Ａ２１を残した状態で張設されている。
Ｂ．遮光資材３Ｂは、小型ハウス本体３Ａにおける透明被覆フィルム３Ａ２の上面に小型フレーム３Ａ１の左右側面下方に通気用の開口部３Ｂ１を残した状態で張設されている。
第１工程〜露地圃場にハイドランジア・アナベルの苗木を定植する。
第２工程〜１〜２年間は養成期間、花蕾は摘除する。
第３工程〜２〜３年目から採花栽培し、適宜追肥する。
第４工程〜必要に応じ、ネット使用等の管理を行う。
第５工程〜開花に応じ、第３種ハウス３により遮光処理を開始する。
第６工程〜遮光開始後、２０〜３０日程でグリーン化が始まるので、以後順次採花する。
第７工程〜遮光資材、透明被覆フィルムは採花後、除去する。
【０００９】
【発明の実施の形態】
以下、本発明の実施の形態を実施例にもとづき図面を参照して説明する。
第１発明については、ハウスあるいは露地のいずれかで栽培され、開花状態になったハイドランジア・アナベルの株を遮光状態とするよう構成されている花きハイドランジア・アナベルの栽培方法である。
【００１０】
第２発明は、下記の各工程から構成されている花きハイドランジア・アナベルの栽培方法である。
この第２発明は、下記の第１種ハウス１を用いるが、その構成を説明する。
第１種ハウス１は、ハウス本体１Ａと、遮光資材１Ｂから構成されている。
Ａ．ハウス本体１Ａは、フレーム１Ａ１と、透明被覆フイルム１Ａ２から構成されている。
ａ．フレーム１Ａ１は、所定間隔をもって植設されたアーチパイプ１Ａ１１、１Ａ１１．．と、当該アーチパイプの側面に前後方向をもって配設された横パイプ１Ａ１２、１Ａ１２とを結束して構成されている。
ｂ．透明被覆フイルム１Ａ２は、フレーム１Ａ１の上面に当該フレーム１Ａ１の左右側面下方に通気用の開口部１Ａ２１を残した状態で張設されている。
Ｂ．遮光資材１Ｂは、透明被覆フイルム１Ａ２の上面を被覆できる面積に構成されている。
なお、遮光資材１Ｂを透明被覆フイルム１Ａ２の上面に積層した場合、フレーム１Ａ１の左右側面下方に通気用の開口部１Ｂ１を残した状態で張設されるよう構成されている。
また、遮光資材の種類は、上述のように遮光率５０％〜７０％前後であれば、材質は問わない。
【００１１】
第１工程〜第１種ハウス１におけるハウス本体１Ａ内にハイドランジア・アナベルの苗木を定植する。
第２工程〜１〜２年間は養成期間、花蕾は摘除する。
第３工程〜２〜３年目から採花栽培し、適宜追肥する。
第４工程〜必要に応じ、かん水、ネット使用等の管理を行う。
第５工程〜開花に応じ、遮光処理を開始する。
すなわち、開花状態になったハイドランジア・アナベルの株イを覆う状態でハウス本体１Ａにおける透明被覆フイルム１Ａ２の上面に、遮光資材１Ｂを被覆状態で固定して遮光処理を開始し、ハウス本体１Ａ内全体を遮光状態とする。
第６工程〜遮光開始後、２０〜３０日程でグリーン化が始まるので、以後順次採花する。
第７工程〜遮光資材は採花後、除去する。
【００１２】
第３発明は、下記の各工程から構成されている花きハイドランジア・アナベルの栽培方法である。
この第３発明は、下記の第２種ハウス２を用いるが、その構成を説明する。
第２種ハウス２は、外方ハウス本体２Ａと内方ハウス本体２Ｂから構成されている。
Ａ．外方ハウス本体２Ａは、フレーム２Ａ１と、透明被覆フイルム２Ａ２から構成されている。
ａ．フレーム２Ａ１は、所定間隔をもって植設されたアーチパイプ２Ａ１１、２Ａ１１．．と、当該アーチパイプの側面に前後方向をもって配設された横パイプ２Ａ１２、２Ａ１２とを結束して構成されている。
ｂ．透明被覆フイルム２Ａ２は、フレーム２Ａ１の上面に当該フレーム２Ａ１の左右側面下方に通気用の開口部２Ａ２１を残した状態で張設されている。
Ｂ．内方ハウス本体２Ｂは、小型フレーム２Ｂ１と、遮光資材２Ｂ２から構成されている。
ａ．小型フレーム２Ｂ１は、所定間隔をもって植設されたアーチパイプ２Ｂ１１、２Ｂ１１．．と、当該アーチパイプの側面に前後方向をもって配設された横パイプ２Ｂ１２、２Ｂ１２とを結束して構成されている。
ｂ．遮光資材２Ｂ２は、小型フレーム２Ｂ１の上面に当該小型フレーム２Ｂ１の左右側面下方に通気用の開口部２Ｂ２１を残した状態で張設されている。
なお、遮光資材の種類は、上述のように遮光率５０％〜７０％前後であれば、材質は問わない。
【００１３】
第１工程〜第２種ハウス２における外方ハウス本体２Ａ内にハイドランジア・アナベルの苗木を定植する。
第２工程〜１〜２年間は養成期間、花蕾は摘除する。
第３工程〜２〜３年目から採花栽培し、適宜追肥する。
第４工程〜必要に応じ、かん水、ネット使用等の管理を行う。
第５工程〜開花に応じ、遮光処理を開始する。
すなわち、開花状態になったハイドランジア・アナベルの株イを覆う状態で内方ハウス本体２Ｂを設置して、当該内方ハウス本体２Ｂ内部を遮光状態とする。
第６工程〜遮光開始後、２０〜３０日程でグリーン化が始まるので、以後順次採花する。
第７工程〜遮光資材は採花後、除去する。
【００１４】
第４発明は、下記の各工程から構成されている花きハイドランジア・アナベルの栽培方法である。
この第４発明は、下記の第３種ハウス３を用いるが、その構成を説明する。
第３種ハウス３は、小型ハウス本体３Ａと、遮光資材３Ｂから構成されている。
Ａ．小型ハウス本体３Ａは、小型フレーム３Ａ１と、透明被覆フイルム３Ａ２から構成されている。
ａ．小型フレーム３Ａ１は、所定間隔をもって植設されたアーチパイプ３Ａ１１、３Ａ１１．．と、当該アーチパイプの側面に前後方向をもって配設された横パイプ３Ａ１２、３Ａ１２とを結束して構成されている。
ｂ．透明被覆フイルム３Ａ２は、小型フレーム３Ａ１の上面に当該フレーム３Ａ１の左右側面下方に通気用の開口部３Ａ２１を残した状態で張設されている。Ｂ．遮光資材３Ｂは、小型ハウス本体３Ａにおける透明被覆フィルム３Ａ２の上面に小型フレーム３Ａ１の左右側面下方に通気用の開口部３Ｂ１を残した状態で張設されている。
なお、遮光資材の種類は、上述のように遮光率５０％〜７０％前後であれば、材質は問わない。
【００１５】
第１工程〜露地圃場にハイドランジア・アナベルの苗木を定植する。
第２工程〜１〜２年間は養成期間、花蕾は摘除する。
第３工程〜２〜３年目から採花栽培し、適宜追肥する。
第４工程〜必要に応じ、ネット使用等の管理を行う。
第５工程〜開花に応じ、遮光処理を開始する。
すなわち、開花状態になったハイドランジア・アナベルの株イを覆う状態で、第３種ハウス３を設置して、小型ハウス本体３Ａ内部を遮光状態とする。
第６工程〜遮光開始後、２０〜３０日程でグリーン化が始まるので、以後順次採花する。
なお、この場合、図８のように、２列の株を一緒に第３種ハウス３により遮光状態とすることができる。
第７工程〜遮光資材、透明被覆フィルムは採花後、除去する。
【００１６】
【発明の効果】
本発明は、上述の通り構成されているので次に記載する効果を奏する。
１．第１発明、第２発明について、下記の効果を期待できる。
Ａ．ハイドランジア・アナベルのグリーン化によって花の新しい素材が提供され、消費者の選択の幅が広がる。
Ｂ．花のアレンジ等の展示の場面で、今までにない形態、色の素材ができ、展示の構成が新鮮になる。
Ｃ．栽培者は、グリーン化によって白花の採花、グリーン花の採花を使い分けることで出荷時期を拡大できる。
Ｄ．グリーン化されたハイドランジア・アナベルは、日持ちが向上し長期間鑑賞できる。
また、ドライフラワー化しても良い。
２．上述のほか、第３発明と第４発明については、さらに下記の効果を期待することができる。
Ａ．第３発明の場合
ハウス内の部分的な遮光が可能で、時期をずらすことができる。
Ｂ．第４発明の場合
露地圃場の部分的な遮光が可能で、時期をずらすことができる。
３．このほか、安価に製造できる、部品点数が少ないので組立が容易である、経済的である、などの効果をも有するものである。
【図面の簡単な説明】
【図１】第２発明の状態を説明する縦断面図である。
【図２】第１種ハウスを説明する１部を切欠いた斜視図である。
【図３】第３発明の状態を説明する縦断面図である。
【図４】第２種ハウスにおける外方ハウス本体を説明する１部を切欠いた斜視図である。
【図５】第２種ハウスにおける内方ハウス本体を説明する１部を切欠いた斜視図である。
【図６】第４発明の状態を説明する縦断面図である。
【図７】第３種ハウスを説明する１部を切欠いた斜視図である。
【図８】第４発明の他の実施例の状態を説明する縦断面図である。
【符号の説明】
１  第１種ハウス
１Ａ  ハウス本体
１Ｂ  遮光資材
２  第２種ハウス
２Ａ  外方ハウス本体
２Ｂ  内方ハウス本体
３  第３種ハウス
３Ａ  小型ハウス本体
３Ｂ  遮光資材
【図１】
0003723120.tif 000002
【図２】
0003723120.tif 000003
【図３】
0003723120.tif 000004
【図４】
0003723120.tif 000005
【図５】
0003723120.tif 000006
【図６】
0003723120.tif 000007
【図７】
0003723120.tif 000008
【図８】
0003723120.tif 000009